(57)【要約】【課題】飲食にともなうゴミ類を圧縮して回収し、飲料容器は重ねて収納し、飲み残しの飲料は廃棄する。【解決手段】  ドラム状回転板Ａ、Ｂをフットペタル１８を用いて回転して、ゴミ類を収納取込口１２より収納し、誘導板１４および圧縮板９を用いて圧縮する。コップ類はドラム状回転板Ｃによって処理し、飲み残しの水類はタンク２５へ廃棄する。【選択図】      図１
2006021925.tif 000002
【特許請求の範囲】
【請求項１】
円形若しくは多角形のドラム状からなり同軸回転する複数の回転体と、当該回転体の外周面側に配置された廃棄物収納取込口を有し、当該廃棄物収納取込口から収納した廃棄物に所定の処理を行うことを特徴とする分別回収装置。
【請求項２】
上記回転体と同心に形成された誘導板と、上記回転体の周縁部を軸として回転可能に取りつけられた複数の圧縮板を少なくとも有し、上記廃棄物収納取込口から取込まれた廃棄物を、上記回転体を回転させることによって圧縮することを特徴とする請求項１に記載の分別回収装置。
【請求項３】
上記廃棄物の圧縮は、上記圧縮板によって行なわれることを特徴とする請求項２に記載の分別回収装置。
【請求項４】
上記圧縮板が、すでに収納されている廃棄物によって、逆方向に押戻されないようにする、ストッパを有することを特徴とする請求項２若しくは３に記載の分別回収装置。
【請求項５】
円形若しくは多角形のドラム状の回転体の中心部に形成された円筒と、当該円筒と同軸に形成された複数の仕切リングおよびＵ字形切込を有することを特徴とする請求項１に記載の分別回収装置。
【請求項６】
廃棄すべきコップ類は、上記円筒と仕切リングの間に挿入され、上記ドラムの回転とともに、垂直状態から横向き、さらに逆立ち状態へ移行し、コップ内の飲み残し飲料水は、ドラムの下部に設けたタンク内へ廃棄されることを特徴とする請求項５に記載の分別回収装置。
【請求項７】
コップの高さサイズの大きい順から、コップの取り込み分別穴を形成したサイズ分別板に、コップの高さサイズに対応したゲートバーを、取り込み分別穴に配置して、ゲートバーの高さより低いコップは、そのゲートバーを通過し、ゲートバーより高いコップはゲートバーに引っかかり、その取り込み分別穴から筒状の収納ボックスへ収納されることを特徴とする請求項５に記載の分別回収装置。
【発明の詳細な説明】
【技術分野】
【０００１】  本発明は分別回収装置に関し、詳しくは、可燃物や不燃物などの各種廃棄物、若しくはコップ類などを、分別回収して利用できる分別回収装置に関する。
【背景技術】
【０００２】  セルフサービス方式のコーヒーショップなど各種外食産業においては、飲食時などに発生した可燃物や不燃物などの廃棄物、および飲料水を使用した紙や樹脂製のコップ類を、客自身によって回収用の収納ボックスあるいは返却台へ、そのまま返却していた。
しかし、このような従来の廃棄物処理手段においては、単に箱型の収納ボックスを設け、各種廃棄物は圧縮することなしにそのまま廃棄され、コップ類も分別されることなしに、廃棄されていた。
【発明の開示】
【発明が解決しようとする課題】
【０００３】  限られたスペースの店内で、各種廃棄物を分別回収するには、回収ボックスの増設や回収回数の増加などを行なう必要がある。また、コップ類の再資源化あるいは再使用するためには、コップ類をサイズごとに、かさばらないように筒状に重ねて回収する必要があり、この作業に必要な従業員の経費の削減も大きな課題になっていた。
【課題を解決するための手段】
【０００４】  上記課題を解決するため、本発明は、３個（少なくとも２個）の円形または多角形のドラム状の回転体を同軸、同期回転させる。２個（少なくとも１個）の回転体では可燃物と不燃物を、それぞれ分別収納して圧縮し、他の１個の回転体は、飲み残しの飲料水を自動的にタンクの中へ廃棄し、さらにコップをサイズごとに分別して、筒状に重ねるものである。【０００５】  すなわち、可燃物と不燃物、およびコップ類とその飲み残しの廃棄物を、分別回収するに際して、円または多角形状の３個のドラム状の回転体を同軸同期回転させる。２連のドラムには可燃物と不燃物を、それぞれ分別収納し、さらに収納圧縮する。その外周面に等配的に配置された複数の収納取り込み口のうち、回転動作によって本装置枠体の前面に位置した収納取り込み口に収納する。【０００６】  可燃物と不燃物を分別せず、両者を一緒に処理する場合は、処理に用いるドラムは一つでよく、コップ類とその飲み残しの廃棄物を処理するためのドラムと合わせて、合計２個のドラムで良い。【０００７】  もう１個の回転体ドラムには、前面に位置する収納取り込み口に、コップ類を入れた後、回転体を回転させ、それによって逆転したコップ類を、回転体の下部に設けた収納ボックス内へ収納させる。【０００８】  二つのドラムを回転させると、可燃物と不燃物の廃棄物は、収納ボックス内でそれぞれ圧縮さる。コップ類の中に残った、飲み残しの飲料水廃棄物は、第３のドラムの下部に設けられた、タンクの中へ廃棄され、コップ類はサイズごとに分別されて、第３のドラムのサイドに配置された、筒状の収納ボックスに、筒状に積み重ねられて、分別回収される。
【発明の効果】
【０００９】  飲食時における可燃物と不燃物からなる廃棄物、およびコップと飲み残し廃棄物の収納に際し、本発明の分別回収装置は、装置全体を小型化することができ、しかも電力などの動力を使用することなく、手若しくは足によって容易に操作することができる。また、構造も簡単で安価であり、狭い店舗内においても自由に設置することができ、廃棄物の廃棄や回収に要する、手間と費用の削減に極めて有用である。
【発明を実施するための最良の形態】
【００１０】  本発明は、コンパクトな分別回収装置でありながら、可燃物と不燃物を別々に収納圧縮し、またコップ類も同時に一回の手または足の動作で回転体を一定角度で回転させながら、飲み残しの飲料水をタンクの中へ自動的に廃棄し、さらにコップもサイズごとに分別しながら筒状に積み重ね、収納する機能を有している。【００１１】  本発明の分別収納装置は、円形若しくは多角形のドラム状からなり、同軸回転する複数の回転体と、当該回転体の外周面側に配置された、廃棄物収納取込口を有し、この廃棄物収納取込口から収納した廃棄物に所定の処理を行うようになっている。【００１２】  上記回転体と同心に形成された誘導板と、上記回転体の周縁部を軸として、回転可能に取りつけられた複数の圧縮板を少なくとも有し、上記廃棄物取込口から取込まれた廃棄物を、上記回転体を回転させることによって圧縮させる。上記廃棄物の圧縮は、上記圧縮板によっておこなわれる。【００１３】  上記圧縮板は、すでに収納されている廃棄物によって、逆方向に押戻されないようにする、ストッパを有している。【００１４】  円形若しくは多角形のドラム状の回転体であって、当該回転体の中心部に形成された円筒と、当該円筒と同軸に形成された複数の仕切リング、およびＵ字形切込を有している。【００１５】  廃棄すべきコップ類は、上記円筒と仕切リングの間に挿入され、上記ドラムの回転とともに、垂直状態（上向き）から横向き、さらに逆立ち状態（下向き）へ移行し、コップ内の飲み残し飲料水は、ドラムの下部に設けられたタンク内へ廃棄される。【００１６】  コップのサイズの高さの大きい順から、コップの取込分別穴を形成したサイズ分別板に、コップの高さサイズに対応したゲートバーを、取込み分別穴に配置して、ゲートバーより低いコップは、そのゲートバーを通過し、ゲートバーより高いコップはゲートバーに引っかかり、その取込が分別穴から、筒状の収納ボックスへ収納される。
【実施例】
【００１７】  図１は本発明の分別回収装置を示し、二つのドラム状の回転体Ａ、Ｂは、それぞれ回転板２ａ、２ｂ、２ｃを有し、それぞれ圧縮板９ａ、９ｂ、９ｃが、固定軸８ａ、８ｂ、８ｃに回転可能に取り付けられている。廃棄物を収納するための収納取り込み口１２、および収納した廃棄物を動かす誘導板１４ａ、１４ｂを有しており、誘導板１４ａ、１４ｂは主軸１によって固定される。コの字形アーム１５は、フットペタル１８を足で踏むと、回転板２ａ、２ｂ、２ｃはフットバー１６の作用範囲内で回転する。なお１３はゴミの収納ボックスを示す。【００１８】  また、コップを処理するための回転体Ｃは、コップサイズ分別板４、コップを保持するためのドラムの円筒１９、コップを保持するための仕切リング２０ａ、さらにＵ字形切込２１が、上記主軸１に結合カラー３を介して回転可能に保持されている。５は筒状のコップ収納ボックス、２５はタンクであり、処理された空きコップを収納する。なお、１７は装置のフレーム、２９は回転体Ｃを構成する円形または多角形の回転板、３２はコップ誘導板、３３はコップからの廃棄水を流すためのコップ誘導板の溝である。【００１９】  上記ドラム状の回転体Ａ、Ｂの作用を図２を用いて説明する。通常の場合、回転体Ａは可燃物、回転体Ｂは不燃物の処理にそれぞれ用いる。回転体Ａ、Ｂの有する円形または１６角形（図２では１６角形を示した）の回転板２ａ、２ｂ、２ｃの４点おきの角８ａ、８ｂ、８ｃ、８ｄには、それぞれ圧縮板９ａ、９ｂ、９ｃ、９ｄが、固定軸８ａ、８ｂ、８ｃ、８ｄを軸として、回転可能に取りつけられている。【００２０】  回転体Ａ、Ｂの回転板２ａ、２ｂ、２ｃを、矢印３１の方向に回転すると、固定軸８ａの位置にある圧縮板９ａは、誘導板１４ａに押され矢印に示したように動く。すなわち、圧縮板９ａは誘導板１４に押されて矢印の方向に開き、閉まり始めるまでの角度２７が、ドラム状の回転体Ａ、Ｂの収納取込範囲となる。すなわち、図１に示した収納取込口１２からの、廃棄物の取込が行なわれる。【００２１】  回転を続けて固定軸位置８ｂに達すると、圧縮板９ｂは重力によって下方に降りようとするが、ストッパー１０によって阻止され、水平に保たれる。なお回転を続けて固定軸８ｃの圧縮板９ｃに達すると、上向きに垂直な圧縮板９ｃは、誘導板１４に押されて右方へ倒れた状態になり、取り込まれた廃棄物は圧縮される。この状態は固定軸８ｄまで続いて、圧縮板９ｄのようになる。さらに回転を続け固定軸８ａに達すると、再び誘導板１４ａに押され、左側に動き、以下同様に繰り返す。【００２２】  なお、収納された廃棄物によって、圧縮板９ａ〜９ｄの中、収納ボックス内の廃棄物に接している圧縮板９ａ〜９ｄが押戻されないようにするため、誘導板１４が配置されている。なお、図２において１１はピン表す。【００２３】  上記ドラム状の回転体Ａ、Ｂを回転させるための足踏み式の駆動装置を図３に示す。フットペタル１８を踏むと、フットバー１６が引かれ、二つのドラム状回転板Ａ、Ｂをまたぐように配置されている、コの字形アーム１５によって、二つのドラム状回転体Ａ、Ｂが、一定角度だけ同時に回転する。１回のペタル１８の踏みこみで、アーム１５はピン１１を引���掛け、ドラム２ａ、２ｂ、２ｃは、例えばアーム駆動範囲２６だけ動く。なお、図３において、記号１３は収納ボックス、１７はフレーム、２４はスプリングをそれぞれ示す。【００２４】  コップ類を処理するためのドラムＣは、汚染物を処理するためのドラムＡ、Ｂとは異なって、片側が開放状態になっている。このドラムＣ内は、図４に示したように、主軸１を中心に、ドラムＣと同軸の円筒１９と、二層の仕切リング２０ａ、２０ｂおよびＵ字形切込２１ａ、２１ｂが組み合わせて配置されている。【００２５】  上記円筒１９の半径は、コップ類の高さサイズの最大値が、ドラムＣの半径内におさまるように設定されている。すなわち、最大寸法のコップの底部が、円筒１９の表面に接し、二層の仕切リング２０ａ、２０ｂの間の、２層のＵ字の形切込２１ａ、２１ｂの中にコップが入り、保持されるように設定される。【００２６】  すなわち、二相の仕切リング２０ａ、２０ｂには、その外周面側を八等分するように、Ｕ字形の切込２１が設けられ、このＵ字形の切込２１の切込口の大きさは、その切込口にコップを挿入した状態での、コップのサイズに応じて定められる。これによって、円筒１９と８ケ所のＵ字形の切込２１をコップ収納領域とするドラムＣが構成される。【００２７】  まず、コップは垂直状態３５ａにあるが、次に横向きの状態３５ｂになり、さらに逆立ちの状態３５ｃになる。すなわち、ドラムＣの縦断面構造を図５に示したように、コップ３５ａは当初は垂直状態３５ａであるが、次に横向きの状態３５ｂになり、最後に逆立ちの状態３５ｃになる。なお、図４には、二層の仕切リング２０ａ、２０ｂを用いた場合を示したが、両層をつないで厚い１層としても、Ｕ字形の切込２１の部分に、コップを保持することが可能である。【００２８】  二層の仕切リング２０ａ、２０ｂは、ドラムＣと一体になって回転運動する。図６に示したように、ゲートバー２３ａ、２３ｂは、サイズ分別板４と一体になって主軸に固定されている。ゲートバー２３ａ、２３ｂは、ドラムＣ内の２層仕切リング２０ａ、２０ｂの中に押入されているコップ類を、ドラムＣの回転運動の過程において、コップの高さサイズでゲートを通過分別させる。ゲートバー２３ａ、２３ｂがドラムＣの中に挿入された状態であるため、ゲートバー２３ａ、２３ｂと２層仕切リング２０ａ、２０ｂがひっかからない位置関係が必要である。【００２９】  前記ドラムＣのＵ字形切込み口２１に挿入されたコップ類は、ドラムＣの回転運動の過程において、垂直状態（上向き）から横向き、さらには下向き状態になる。その間に、飲み残しの飲料水は、コップからこぼれ落ち、ドラムＣの下部に設けられたタンク（図示せず）の中へ廃棄される。【００３０】  さらに、図６に示したように、コップは下向き状態のまま、ドラムＣの開放面をふさぐように配置されたサイズ分別板４に、コップの高さサイズに対応した取込み分別穴２２を形成し、その取込分別穴取込２２に、ゲートバー２３ａ、２３ｂを配置して、コップの高さサイズ大きい順から、ゲートバー２３ａに引っかかり、次の高さサイズのコップはゲートーバー２３ｂにひっかかりながら、筒状収納ボックス５に収納される。本実施例においては、コップのサイズを��種類に設定し、それに対応した取込分別穴２２を形成し、その取込分別穴２２にゲートバー２３ａ、２３ｂを組み合わして配置した。【００３１】  サイズ分別板４によって分別されたコップは、図６、図７に示したように、それぞれゲートバー２３ａ、２３ｂおよび取込分別穴２２より、逆立ち状態になって下方向へ自然落下し、サイズ分別板４の下部に配置された筒状の収納ボックス５内に、逆立ちの状態で、積み重なるように収納される。また、この筒状収納ボックス５は、コップ類の径に対応した太さの、筒状収納ボックス５になっている。なお３３は、コップからの排水を流すためのコップ誘導板の溝を示し、３２、３４は、それぞれコップ誘導板を示す。
【産業上の利用可能性】
【００３２】  本発明は、セルフサービス式のハンバーガー、コーヒーショップなどの外食産業において排出される、飲食にともなうゴミ類を、可燃ゴミと不燃ゴミに分別し、さらに圧縮する。また、飲み残しの飲料は廃棄するとともに、使用したコップ類は、筒状に重ねて分別できるので、各種外食産業に極めて有用である。
【図面の簡単な説明】
【００３３】
【図１】本発明の分別回収装置の構成を示す図。
【図２】ドラム状回転板の作用を示す図。
【図３】フットペタルによってドラム状回転板を動作させる図。
【図４】Ｕ字形切り込みと仕切リングの作用を示す図。
【図５】回転板Ｃの回転によりコップが回転することを示す横断面図、
【図６】回転板Ｃの回転によりコップが回転することを示す縦断面図、
【図７】コップ類を分別収納することを説明するための図。
【符号の説明】
【００３４】１…主軸、２…回転板、３…結合カラー、４…サイズ分別板、５筒状収納ボックス、６…軸穴、７…回転板の頂点角、８…固定軸、９…圧縮板、１０…ストッパー、１１…ピン、１２…収納取込口、１３…収納ボックス、１４…誘導板、１５…コの字形アーム、１６…フットバー、１７…フレーム、１８…フットペタル、１９…円筒、２０…仕切リング、２１…Ｕ字形切り込み、２２…取込分別穴、２３…ゲートバー、２４…スプリング、２５…タンク、２６…アーム駆動範囲、２７…ドラムの収納取り込み範囲、２８…ドラムの収納取り込み範囲、２９…回転板、３１…回転方向、３２…コップの誘導板、３３…溝、３４…コップの誘導板、３５ａ…垂直状態のコップ、３５ｂ…横向き状態のコップ、３５ｃ…倒立状態のコップ、Ａ、Ｂ、Ｃ…ドラム状の回転体。
【図１】
2006021925.tif 000003
【図２】
2006021925.tif 000004
【図３】
2006021925.tif 000005
【図４】
2006021925.tif 000006
【図５】
2006021925.tif 000007
【図６】
2006021925.tif 000008
【図７】
2006021925.tif 000009